(57)【要約】  本発明は、データ伝送方法、装置、コンピュータ装置及び記憶媒体を開示し、当該方法は、端末が、選択ターゲットである少なくとも２つのＰＵＳＣＨから、プリセット条件を満たすＰＵＳＣＨを選択することと、端末が、選択されたＰＵＳＣＨに第１のＵＣＩを多重化して伝送することとを含む。本発明に記載の技術案を適用すれば、ＰＵＳＣＨの合理的な選択を実現することができる。
2021516891.tif 000002
【特許請求の範囲】
【請求項１】
データ伝送方法であって、
端末が、選択ターゲットである少なくとも２つの物理アップリンク共有チャネル（ＰＵＳＣＨ）からプリセット条件を満たすＰＵＳＣＨを選択することと、
前記端末が、第１のアップリンク制御情報（ＵＣＩ）を、選択されたＰＵＳＣＨに多重化して伝送することとを含む、前記データ伝送方法。
【請求項２】
前記方法は、前記端末が構成情報に従って物理アップリンク制御チャネル（ＰＵＣＣＨ）を使用して第２のＵＣＩを搬送することを決定することをさらに含み、
前記第１のＵＣＩは前記第２のＵＣＩと同じであり、または、前記第２のＵＣＩを圧縮して前記第１のＵＣＩを取得する、
請求項１に記載の方法。
【請求項３】
前記選択ターゲットであるＰＵＳＣＨは、送信されるＰＵＣＣＨと時間的に重複されるＰＵＳＣＨを含む、
請求項１に記載の方法。
【請求項４】
前記端末が、選択ターゲットである少なくとも２つのＰＵＳＣＨからプリセット条件を満たすＰＵＳＣＨを選択することは、
前記端末が、
開始シンボル及び時間領域の長さの両方とも、送信されるＰＵＣＣＨと同じであるＰＵＳＣＨの優先度が、開始シンボル位置が前記ＰＵＣＣＨの開始シンボル位置より前ではないＰＵＳＣＨより高いこと、
開始シンボル及び時間領域の長さの両方とも、前記ＰＵＣＣＨと同じであるＰＵＳＣＨの優先度が、開始シンボル位置が前記ＰＵＣＣＨの開始シンボル位置の前であり且つ前記ＰＵＣＣＨの開始シンボル位置との差がＡ個のシンボルより大きくないＰＵＳＣＨより高いことであって、前記Ａは正の整数であること、
開始シンボル位置が前記ＰＵＣＣＨの開始シンボル位置より前ではないＰＵＳＣＨの優先度が、開始シンボル位置が前記ＰＵＣＣＨの開始シンボル位置の前であり且つ前記ＰＵＣＣＨの開始シンボル位置との差はＡ個のシンボルより大きくないＰＵＳＣＨより高いこと、
開始シンボル位置が前記ＰＵＣＣＨの開始シンボル位置より前ではないＰＵＳＣＨでは、開始シンボル位置が最も前であるＰＵＳＣＨの優先度が最も高いこと、
開始シンボル位置が前記ＰＵＣＣＨの開始シンボル位置の前であり且つ前記ＰＵＣＣＨの開始シンボル位置との差がＡ個のシンボルより大きくないＰＵＳＣＨでは、開始シンボル位置が最も後ろであるＰＵＳＣＨの優先度が最も高いこと、
許可ベースのＰＵＳＣＨの優先度が、許可なしのＰＵＳＣＨより高いこと、
タイムスロットベースのＰＵＳＣＨの優先度が、非タイムスロットベースのＰＵＳＣＨより高いことのうちの優先順位の１つまたは任意の組み合わせに従って、優先度の最も高いＰＵＳＣＨを、選択ターゲットであるＰＵＳＣＨから選択することを含む、
請求項１に記載の方法。
【請求項５】
前記端末が、以下の優先順位の１つまたは任意の組み合わせに従って、優先度の最も高いＰＵＳＣＨを、選択ターゲットである少なくとも２つのＰＵＳＣＨから選択することは、
前記端末が、プリセットの異なる方式の優先度に従って、優先度の高い方から低い方への順番に従って、様々な方式を順次に採用して選択することを含み、
後者の方式は、隣接する前者の方式で選択されたＰＵＳＣＨの中から選択する、
請求項４に記載の方法。
【請求項６】
前記方法は、選択されたＰＵＳＣＨの数が１より大きい場合、さらにキャリア番号が最も小さいＰＵＳＣＨを選択することをさらに含む、
請求項１に記載の方法。
【請求項７】
データ伝送方法であって、
基地局が、選択ターゲットである少なくとも２つの物理アップリンク共有チャネル（ＰＵＳＣＨ）からプリセット条件を満たすＰＵＳＣＨを選択することと、
前記基地局が、選択されたＰＵＳＣＨから第１のアップリンク制御情報（ＵＣＩ）を受信することとを含む、前記データ伝送方法。
【請求項８】
前記選択ターゲットであるＰＵＳＣＨは、送信されるＰＵＣＣＨと時間的に重複するＰＵＳＣＨを含む、
請求項７に記載の方法。
【請求項９】
前記基地局が、選択ターゲットである少なくとも２つのＰＵＳＣＨからプリセット条件を満たすＰＵＳＣＨを選択することは、
前記基地局が、
開始シンボル及び時間領域の長さの両方とも、送信されるＰＵＣＣＨと同じであるＰＵＳＣＨの優先度が、開始シンボル位置が前記ＰＵＣＣＨの開始シンボル位置より前ではないＰＵＳＣＨより高いこと、
開始シンボル及び時間領域の長さの両方とも、前記ＰＵＣＣＨと同じであるＰＵＳＣＨの優先度が、開始シンボル位置が前記ＰＵＣＣＨの開始シンボル位置の前であり且つ前記ＰＵＣＣＨの開始シンボル位置との差がＡ個のシンボルより大きくないＰＵＳＣＨより高いことであって、前記Ａは正の整数であること、
開始シンボル位置が前記ＰＵＣＣＨの開始シンボル位置より前ではないＰＵＳＣＨの優先度が、開始シンボル位置が前記ＰＵＣＣＨの開始シンボル位置の前であり且つ前記ＰＵＣＣＨの開始シンボル位置との差はＡ個のシンボルより大きくないＰＵＳＣＨより高いことと、
開始シンボル位置が前記ＰＵＣＣＨの開始シンボル位置より前ではないＰＵＳＣＨでは、開始シンボル位置が最も前であるＰＵＳＣＨの優先度が最も高いこと、
開始シンボル位置が前記ＰＵＣＣＨの開始シンボル位置の前であり且つ前記ＰＵＣＣＨの開始シンボル位置との差がＡ個のシンボルより大きくないＰＵＳＣＨでは、開始シンボル位置が最も後ろであるＰＵＳＣＨの優先度が最も高いこと、
許可ベースのＰＵＳＣＨの優先度が、許可なしのＰＵＳＣＨより高いこと、
タイムスロットベースのＰＵＳＣＨの優先度が、非タイムスロットベースのＰＵＳＣＨより高いことのうちの優先順位の１つまたは任意の組み合わせに従って、優先度の最も高いＰＵＳＣＨを、選択ターゲットであるＰＵＳＣＨから選択することを含む、
請求項７に記載の方法。
【請求項１０】
前記基地局が、以下の優先順位の１つまたは任意の組み合わせに従って、優先度の最も高いＰＵＳＣＨを選択ターゲットである少なくとも２つのＰＵＳＣＨから選択することは、
前記基地局が、プリセットの異なる方式の優先度に従って、優先度の高い方から低い方への順番に従って、様々な方式を順次に採用して選択することを含み、
後者の方式は、隣接する前者の方式で選択されたＰＵＳＣＨの中から選択する、
請求項９に記載の方法。
【請求項１１】
前記方法は、選択されたＰＵＳＣＨの数が１より大きい場合、さらにキャリア番号が最も小さいＰＵＳＣＨを選択することをさらに含む、
請求項７に記載の方法。
【請求項１２】
データ伝送装置であって、
第１の選択ユニット及び伝送ユニットを含み、
前記第１の選択ユニットは、選択ターゲットである少なくとも２つの物理アップリンク共有チャネル（ＰＵＳＣＨ）からプリセット条件を満たすＰＵＳＣＨを選択するように構成され、
前記伝送ユニットは、第１のアップリンク制御情報（ＵＣＩ）を、選択されたＰＵＳＣＨに多重化して伝送するように構成される、前記データ伝送装置。
【請求項１３】
前記伝送ユニットは、さらに構成情報に従って物理アップリンク制御チャネル（ＰＵＣＣＨ）を使用して第２のＵＣＩを搬送することを決定するように構成され、
前記第１のＵＣＩは前記第２のＵＣＩと同じであり、または、前記第２のＵＣＩを圧縮して前記第１のＵＣＩを取得する、
請求項１２に記載の装置。
【請求項１４】
前記選択ターゲットであるＰＵＳＣＨは、送信されるＰＵＣＣＨと時間的に重複されるＰＵＳＣＨを含む、
請求項１２に記載の装置。
【請求項１５】
前記第１の選択ユニットが、
開始シンボル及び時間領域の長さの両方とも、送信されるＰＵＣＣＨと同じであるＰＵＳＣＨの優先度が、開始シンボル位置が前記ＰＵＣＣＨの開始シンボル位置より前ではないＰＵＳＣＨより高いこと、
開始シンボル及び時間領域の長さの両方とも、前記ＰＵＣＣＨと同じであるＰＵＳＣＨの優先度が、開始シンボル位置が前記ＰＵＣＣＨの開始シンボル位置の前であり且つ前記ＰＵＣＣＨの開始シンボル位置との差がＡ個のシンボルより大きくないＰＵＳＣＨより高いことであって、前記Ａは正の整数であること、
開始シンボル位置が前記ＰＵＣＣＨの開始シンボル位置より前ではないＰＵＳＣＨの優先度が、開始シンボル位置が前記ＰＵＣＣＨの開始シンボル位置の前であり且つ前記ＰＵＣＣＨの開始シンボル位置との差はＡ個のシンボルより大きくないＰＵＳＣＨより高いこと、
開始シンボル位置が前記ＰＵＣＣＨの開始シンボル位置より前ではないＰＵＳＣＨでは、開始シンボル位置が最も前であるＰＵＳＣＨの優先度が最も高いこと、
開始シンボル位置が前記ＰＵＣＣＨの開始シンボル位置の前であり且つ前記ＰＵＣＣＨの開始シンボル位置との差がＡ個のシンボルより大きくないＰＵＳＣＨでは、開始シンボル位置が最も後ろであるＰＵＳＣＨの優先度が最も高いこと、
許可ベースのＰＵＳＣＨの優先度が、許可なしのＰＵＳＣＨより高いこと、
タイムスロットベースのＰＵＳＣＨの優先度が、非タイムスロットベースのＰＵＳＣＨより高いことのうちの優先順位の１つまたは任意の組み合わせに従って、優先度の最も高いＰＵＳＣＨを、選択ターゲットであるＰＵＳＣＨから選択する、
請求項１２に記載の装置。
【請求項１６】
前記第１の選択ユニットは、前記優先順位の１つまたは任意の組み合わせに従って、優先度の最も高いＰＵＳＣＨを、選択ターゲットであるＰＵＳＣＨから選択する場合、プリセットの異なる形態の優先度に従って、優先度の高い方から低い方への順番に従って、様々な方式を順次に採用して選択するように構成され、後者の方式は、隣接する前者の方式で選択されたＰＵＳＣＨの中から選択する、
請求項１５に記載の装置。
【請求項１７】
前記第１の選択ユニットはさらに、選択されたＰＵＳＣＨの数が１より大きい場合、さらにキャリア番号が最も小さいＰＵＳＣＨを選択するように構成される、
請求項１２に記載の装置。
【請求項１８】
データ伝送装置であって、
第２の選択ユニット及び受信ユニットを含み、
前記第２の選択ユニットは、選択ターゲットである少なくとも２つの物理アップリンク共有チャネル（ＰＵＳＣＨ）からプリセット条件を満たすＰＵＳＣＨを選択するように構成され、
前記受信ユニットは、第１のアップリンク制御情報（ＵＣＩ）を、選択されたＰＵＳＣＨから受信するように構成される、前記データ伝送方法。
【請求項１９】
前記選択ターゲットであるＰＵＳＣＨは、送信されるＰＵＣＣＨと時間的に重複されるＰＵＳＣＨを含む、
請求項１８に記載の装置。
【請求項２０】
前記第２の選択ユニットは、
開始シンボル及び時間領域の長さの両方とも、送信されるＰＵＣＣＨと同じであるＰＵＳＣＨの優先度が、開始シンボル位置が前記ＰＵＣＣＨの開始シンボル位置より前ではないＰＵＳＣＨより高いこと、
開始シンボル及び時間領域の長さの両方とも、前記ＰＵＣＣＨと同じであるＰＵＳＣＨの優先度が、開始シンボル位置が前記ＰＵＣＣＨの開始シンボル位置の前であり且つ前記ＰＵＣＣＨの開始シンボル位置との差がＡ個のシンボルより大きくないＰＵＳＣＨより高いことであって、前記Ａは正の整数であること、
開始シンボル位置が前記ＰＵＣＣＨの開始シンボル位置より前ではないＰＵＳＣＨの優先度が、開始シンボル位置が前記ＰＵＣＣＨの開始シンボル位置の前であり且つ前記ＰＵＣＣＨの開始シンボル位置との差はＡ個のシンボルより大きくないＰＵＳＣＨより高いこと、
開始シンボル位置が前記ＰＵＣＣＨの開始シンボル位置より前ではないＰＵＳＣＨでは、開始シンボル位置が最も前であるＰＵＳＣＨの優先度が最も高いこと、
開始シンボル位置が前記ＰＵＣＣＨの開始シンボル位置の前であり且つ前記ＰＵＣＣＨの開始シンボル位置との差がＡ個のシンボルより大きくないＰＵＳＣＨでは、開始シンボル位置が最も後ろであるＰＵＳＣＨの優先度が最も高いこと、
許可ベースのＰＵＳＣＨの優先度が、許可なしのＰＵＳＣＨより高いこと、
タイムスロットベースのＰＵＳＣＨの優先度が、非タイムスロットベースのＰＵＳＣＨより高いことのうちの優先順位の１つまたは任意の組み合わせに従って、優先度の最も高いＰＵＳＣＨを、選択ターゲットであるＰＵＳＣＨから選択する、
請求項１８に記載の装置。
【請求項２１】
第２の選択ユニットは、前記優先順位の１つまたは任意の組み合わせに従って、優先度の最も高いＰＵＳＣＨを、選択ターゲットであるＰＵＳＣＨから選択する場合、プリセットの異なる形態の優先度に従って、優先度の高い方から低い方への順番に従って、様々な方式を順次に採用して選択し、後者の方式は、隣接する前者の方式で選択されたＰＵＳＣＨの中から選択する、
請求項２０に記載の装置。
【請求項２２】
前記第２の選択ユニットはさらに、選択されたＰＵＳＣＨの数が１より大きい場合、さらにキャリア番号が最も小さいＰＵＳＣＨを選択するように構成される、
請求項１８に記載の装置。
【請求項２３】
メモリ、プロセッサ及び前記メモリに記憶されて前記プロセッサで実行可能なコンピュータプログラムを備えるコンピュータ装置であって、前記プロセッサが前記プログラムを実行する時、請求項１ないし１１のいずれか１項に記載の方法を実現する、前記コンピュータ装置。
【請求項２４】
コンピュータプログラムが記憶されるコンピュータ読み取り可能な記憶媒体であって、
前記プログラムがプロセッサに実行される時、請求項１ないし１１のいずれか１項に記載の方法を実現する、前記コンピュータ読み取り可能な記憶媒体。
【発明の詳細な説明】
【技術分野】
【０００１】
本発明は、無線ネットワーク技術に関し、特にデータ伝送方法、装置、コンピュータ装置及び記憶媒体に関する。
【背景技術】
【０００２】
現在の５Ｇニューラジオ（ＮＲ：Ｎｅｗ  Ｒａｄｉｏ）システムは、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）と物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の同時伝送をサポートしない。ＰＵＣＣＨとＰＵＳＣＨの開始シンボル及び時間領域の長さが同じである場合、アップリンク制御情報（ＵＣＩ：Ｕｐｌｉｎｋ  Ｃｏｎｔｒｏｌ  Ｉｎｆｏｒｍａｔｉｏｎ）をＰＵＳＣＨに多重化して伝送することができる。しかし、これ以外、他のＰＵＳＣＨはＵＣＩを搬送するために使用されることもできる。ＵＣＩを搬送するために適当なＰＵＳＣＨをどのように選択するかについて、従来技術には有効な解決策がまだない。
【発明の概要】
【発明が解決しようとする課題】
【０００３】
これを鑑みて、本発明はデータ伝送方法、装置、コンピュータ装置及び記憶媒体を提供する。
【課題を解決するための手段】
【０００４】
以下、具体的な技術的解決策である。
【０００５】
データ伝送方法は、
端末が、選択ターゲットである少なくとも２つのＰＵＳＣＨからプリセット条件を満たすＰＵＳＣＨを選択することと、
前記端末が、選択されたＰＵＳＣＨに第１のＵＣＩを多重化して伝送することとを含む。
【０００６】
データ伝送方法は、
基地局が、選択ターゲットである少なくとも２つのＰＵＳＣＨからプリセット条件を満たすＰＵＳＣＨを選択することと、
前記基地局が、選択されたＰＵＳＣＨから第１のＵＣＩを受信することとを含む。
【０００７】
データ伝送装置は、第１の選択ユニット及び伝送ユニットを含み、
前記第１の選択ユニットは、選択ターゲットである少なくとも２つの物理アップリンク共有チャネル（ＰＵＳＣＨ）からプリセット条件を満たすＰＵＳＣＨを選択するように構成され、
前記伝送ユニットは、選択されたＰＵＳＣＨに第１のＵＣＩを多重化して伝送するように構成される、前記データ伝送装置。
【０００８】
データ伝送装置は、第２の選択ユニット及び受信ユニットを含み、
前記第２の選択ユニットは、選択ターゲットである少なくとも２つのＰＵＳＣＨからプリセット条件を満たすＰＵＳＣＨを選択するように構成され、
前記受信ユニットは、第１のＵＣＩを選択されたＰＵＳＣＨから受信するように構成される。
【０００９】
コンピュータ装置は、メモリ、プロセッサ及び前記メモリに記憶されて前記プロセッサで実行可能なコンピュータプログラムを含み、前記プロセッサが前記プログラムを実行する時、上記に記載の方法を実現する。
【００１０】
コンピュータプログラムが記憶されるコンピュータ読み取り可能な記憶媒体は、前記プログラムがプロセッサによって実行される時、上記に記載の方法を実現する。
【００１１】
前記説明に基づいて、本発明に記載の技術案を採用すれば、選択ターゲットである少なくとも２つのＰＵＳＣＨからプリセット条件を満たすＰＵＳＣＨを選択することができ、さらにＵＣＩを、選択されたＰＵＳＣＨに多重化して伝送することができ、それによりＰＵＳＣＨの合理的な選択を実現し、さらにＤＣＩ伝送機能を向上することが分かる。
【図面の簡単な説明】
【００１２】
【図１】本発明に係るデータ伝送方法の実施例のフローチャートである。
【図２】本発明に係る選択ターゲットである各ＰＵＳＣＨの例示図である。
【図３】本発明に係るデータ伝送装置の第１の実施例の構成の例示的な構造図である。
【図４】本発明に係るデータ伝送装置の第２の実施例の構成の例示的な構造図である。
【図５】本発明の実施形態を実現するために適用される例示的なコンピュータシステム／サーバ１２のブロック図を示す。
【発明を実施するための形態】
【００１３】
本発明の技術的解決策をより明確かつ理解するために、以下、添付の図面及び実施例を参照して、本発明の技術案をさらに説明する。
【００１４】
明らかに、記載された実施例は本発明の実施例の一部であるが、実施例の全てではない。本発明の実施例に基づいて、当業者が創造的な労働なしの前提で取得した他の全ての実施例は、本発明の保護範囲に属する。
【００１５】
図１は本発明に係るデータ伝送方法の実施例のフローチャートである。図１に示されたように、以下、具体的な実施形態を含む。
【００１６】
ステップ１０１において、端末が、選択ターゲットである少なくとも２つのＰＵＳＣＨからプリセット条件を満たすＰＵＳＣＨを選択する。
【００１７】
ステップ１０２において、端末が、選択されたＰＵＳＣＨに第１のＵＣＩを多重化して伝送する。
【００１８】
実際的な応用において、送信されるＰＵＣＣＨと時間的に重複されるＰＵＳＣＨを選択ターゲットとすることができ、即ち選択ターゲットであるＰＵＳＣＨは、送信されるＰＵＣＣＨと時間的に少なくとも一部が重複される。
【００１９】
ＰＵＣＣＨはＵＣＩを搬送するために使用されることができ、ＵＣＩに含まれる情報の全ては、通常、現在の端末がアップリンクリソースを要求する必要がどうか、現在の端末が検出したダウンリンクの品質など、現在の端末の状態と関連する情報である。
【００２０】
さらに、ＵＣＩはＰＵＣＣＨで伝送することができ、ＰＵＳＣＨでも伝送することができる。本実施例において、選択ターゲットであるＰＵＳＣＨを決定した後、その中からプリセット条件を満たすＰＵＳＣＨを選択することができ、選択ターゲットであるＰＵＳＣＨは通常複数であり、即ち１つより大きい。
【００２１】
具体的に、前記端末が、開始シンボル及び時間領域の長さの両方とも、送信されるＰＵＣＣＨ（以下、ＰＵＣＣＨと略称する）と同じであるＰＵＳＣＨの優先度が、開始シンボル位置が前記ＰＵＣＣＨの開始シンボル位置より前ではないＰＵＳＣＨより高いことであって、前ではないことは、即ち遅いことまたは等しいことであること、
開始シンボル及び時間領域の長さの両方とも、前記ＰＵＣＣＨと同じであるＰＵＳＣＨの優先度が、開始シンボル位置が前記ＰＵＣＣＨの開始シンボル位置の前であり且つ前記ＰＵＣＣＨの開始シンボル位置との差がＡ個のシンボルより大きくないＰＵＳＣＨより高いことであって、Ａは正の整数であり、Ａの特定の値は実際の必要に応じて決定することができること、
開始シンボル位置が前記ＰＵＣＣＨの開始シンボル位置より前ではないＰＵＳＣＨの優先度が、開始シンボル位置が前記ＰＵＣＣＨの開始シンボル位置の前であり且つ前記ＰＵＣＣＨの開始シンボル位置との差はＡ個のシンボルより大きくないＰＵＳＣＨより高いこと、
開始シンボル位置が前記ＰＵＣＣＨの開始シンボル位置より前ではないＰＵＳＣＨでは、開始シンボル位置が最も前であるＰＵＳＣＨの優先度が最も高いこと、
開始シンボル位置が前記ＰＵＣＣＨの開始シンボル位置の前であり且つ前記ＰＵＣＣＨの開始シンボル位置との差がＡ個のシンボルより大きくないＰＵＳＣＨでは、開始シンボル位置が最も後ろであるＰＵＳＣＨの優先度が最も高いこと、
許可（ｇｒａｎｔ−ｂａｓｅｄ）ベースのＰＵＳＣＨの優先度が、許可なし（ｇｒａｎｔ−ｆｒｅｅ）のＰＵＳＣＨより高いこと、
タイムスロット（ｓｌｏｔ  ｂａｓｅｄ）ベースのＰＵＳＣＨの優先度が、非タイムスロット（ｎｏｎ−ｓｌｏｔ  ｂａｓｅｄ）ベースのＰＵＳＣＨより高いことのうちの優先順位の１つまたは任意の組み合わせに従って、優先度の最も高いＰＵＳＣＨを選択ターゲットであるＰＵＳＣＨから選択する。
【００２２】
ここで、タイムスロットベースのＰＵＳＣＨは、標準的には、ＰＵＳＣＨマッピングタイプＡ（ｍａｐｐｉｎｇ  ｔｙｐｅＡ）として定義し、非タイム許可ベースのＰＵＳＣＨはｔｙｐｅＢとして定義する。
【００２３】
さらに、端末は前記優先順位の１つまたは任意の組み合わせに従って、選択ターゲットである少なくとも２つのＰＵＳＣＨから優先度の最も高いＰＵＳＣＨを選択する場合、プリセットの異なる方式の優先度に従って、優先度の高い方から低い方への順番に従って、様々な方式を採用して順次に選択することができ、ここで、後者の方式は、隣接する前者の方式で選択されたＰＵＳＣＨの中から選択する。
【００２４】
前記方法に従ってＰＵＳＣＨに対して選択した後、選択されたＰＵＳＣＨの数が１より大きい場合、さらにここでキャリア番号が最も小さいＰＵＳＣＨをさらに選択することができ、キャリア番号が最も小さいＰＵＳＣＨを最終的に必要とするＰＵＳＣＨとする。
【００２５】
上記の説明に基づいて、選択ターゲットであるＰＵＳＣＨからＰＵＳＣＨを選択する方式は、
選択ターゲットであるＰＵＳＣＨから開始シンボル及び時間領域の長さの両方とも、ＰＵＣＣＨと同じであるＰＵＳＣＨを選択することと、
選択ターゲットであるＰＵＳＣＨから開始シンボル位置がＰＵＣＣ  Ｈの開始シンボル位置より前ではないＰＵＳＣＨを選択することと、
選択ターゲットであるＰＵＳＣＨから開始シンボル位置がＰＵＣＣＨの開始シンボル位置の前であり且つＰＵＣＣＨの開始シンボル位置との差がＡ個のシンボルより大きくないＰＵＳＣＨを選択し、Ａは正の整数であることと、
選択ターゲットであるＰＵＳＣＨからタイムスロットベースのＰＵＳＣＨを選択することと、
選択ターゲットであるＰＵＳＣＨから許可ベースのＰＵＳＣＨを選択する等を含むことが分かる。
【００２６】
実際的な応用において、ここでの１つの方式のみを採用して選択することであってもよく、ここでの少なくとも２つの方式を組み合わせた方式を採用して選択することであってもよく、好ましくて、後者の方式を採用する。
【００２７】
さらに、ここでの少なくとも２つの形態を組み合わせた方式を採用して選択する場合、異なる方式の優先度の高い方から低い方への順番に従って、各方式を順次に通じて選択することができ、ここで、後者の方式は、隣接する前者の方式で選択されたＰＵＳＣＨの中から選択し、それにより選択されたＰＵＳＣＨの数が１より大きい場合、さらにその中でキャリア番号の最も小さいＰＵＳＣＨを選択することができる。
【００２８】
合計４つの選択ターゲットであるＰＵＳＣＨがあると仮定し、それぞれＰＵＳＣＨ１、ＰＵＳＣＨ２、ＰＵＳＣＨ３及びＰＵＳＣＨ４であり、図２に示されたように、図２は、本発明に係る選択ターゲットである各ＰＵＳＣＨの例示図である。
【００２９】
図２に示された各ＰＵＳＣＨに対して、「選択ターゲットであるＰＵＳＣＨからタイムスロットベースのＰＵＳＣＨを選択する」及び「選択ターゲットであるＰＵＳＣＨから開始シンボル位置がＰＵＣＣＨの開始シンボル位置より前ではないＰＵＳＣＨを選択する」形態を組み合わせた方式を採用してＰＵＳＣＨを選択し、且つ「選択ターゲットであるＰＵＳＣＨからタイムスロットベースのＰＵＳＣＨを選択する」形態の優先度が「選択ターゲットであるＰＵＳＣＨから開始シンボル位置がＰＵＣＣＨの開始シンボル位置より前ではないＰＵＳＣＨを選択する」形態の優先度より高いと仮定する。
【００３０】
それから、先ず「選択ターゲットであるＰＵＳＣＨからタイムスロットベースのＰＵＳＣＨを選択する」形態に従って、タイムスロットベースのＰＵＳＣＨをＰＵＳＣＨ１、ＰＵＳＣＨ２、ＰＵＳＣＨ３及びＰＵＳＣＨ４から選択することができ、図２に示されたように、それぞれｔｙｐｅＡのＰＵＳＣＨ２、ＰＵＳＣＨ３及びＰＵＳＣＨ４であり、ＰＵＳＣＨ１はｔｙｐｅＢであるため、ＰＵＳＣＨ１は選択されない。
【００３１】
その後、「選択ターゲットであるＰＵＳＣＨから開始シンボル位置がＰＵＣＣＨの開始シンボル位置より前ではないＰＵＳＣＨを選択する」形態に従って、開始シンボル位置がＰＵＣＣＨの開始シンボル位置より前ではないＰＵＳＣＨをＰＵＳＣＨ２、ＰＵＳＣＨ３及びＰＵＳＣＨ４からさらに選択し、図２に示されたように、それぞれＰＵＳＣＨ３及びＰＵＳＣＨ４であり、ＰＵＳＣＨ２の開始シンボル位置がＰＵＣＣＨのシンボル位置より早いため、ＰＵＳＣＨ２は選択されない。
【００３２】
２回の選択を経過した後、２つのＰＵＳＣＨを取得し、それぞれＰＵＳＣＨ３及びＰＵＳＣＨ４であり、数は１より大きいことにしたがって、さらに選択する必要があり、即ちその中でキャリア番号の最も小さいＰＵＳＣＨを選択し、図２に示されたように、ＰＵＳＣＨ３であり、それによりＰＵＳＣＨ３を最終的に必要されるＰＵＳＣＨとする。
【００３３】
ＰＵＳＣＨを最終的に選択した後、端末は第１のＵＣＩを最終的に選択されたＰＵＳＣＨに多重化して伝送することができ、伝送をどのように実行するかは従来技術より実現可能である。
【００３４】
さらに、端末は構成情報に従ってＰＵＣＣＨを使用して第２のＵＣＩ搬送することを決定することもでき、第１のＵＣＩは第２のＵＣＩと同じであり、または、第２のＵＣＩを圧縮して第１のＵＣＩを取得する。
【００３５】
以上は、端末側の処理形態であり、基地側の処理形態は端末側と似て、例えば、基地局は、プリセット条件を満たすＰＵＳＣＨを、選択ターゲットである少なくとも２つのＰＵＳＣＨから選択し、それにより選択されたＰＵＳＣＨから第１のＵＣＩを受信することができる。基地局がＰＵＳＣＨを選択する方式は端末と同じであり、再び説明しない。
【００３６】
以上は方法の実施例に関連する紹介であり、以下、装置の実施例を通じて、本発明の技術案をさらに説明する。
【００３７】
図３は、本発明に係るデータ伝送装置の第１の実施例の構成の例示的な構造図である。図３に示されたように、第１の選択ユニット３０１及び伝送ユニット３０２を含む。
【００３８】
第１の選択ユニット３０１は、選択ターゲットである少なくとも２つのＰＵＳＣＨからプリセット条件を満たすＰＵＳＣＨを選択するように構成される。
【００３９】
伝送ユニット３０２は、選択されたＰＵＳＣＨに第１のＵＣＩを多重化して伝送するように構成される。
【００４０】
ここで、伝送ユニット３０２は、さらに構成情報に従ってＰＵＣＣＨを使用して第２のＵＣＩを搬送することを決定することができ、第１のＵＣＩは第２のＵＣＩと同じであり、または、第２のＵＣＩを圧縮して第１のＵＣＩを取得する。
【００４１】
選択ターゲットであるＰＵＳＣＨは、送信されるＰＵＣＣＨと時間的に重複されるＰＵＳＣＨを含むことができる。
【００４２】
選択ターゲットであるＰＵＳＣＨに対して、通常は複数であり、第１の選択ユニット３０１はプリセット条件に満たすＰＵＳＣＨをその中から選択することができる。
【００４３】
例えば、前記第１の選択ユニット３０１が、開始シンボル及び時間領域の長さの両方とも、送信されるＰＵＣＣＨと同じであるＰＵＳＣＨの優先度が、開始シンボル位置が前記ＰＵＣＣＨの開始シンボル位置より前ではないＰＵＳＣＨより高いこと、
開始シンボル及び時間領域の長さの両方とも、前記ＰＵＣＣＨと同じであるＰＵＳＣＨの優先度が、開始シンボル位置が前記ＰＵＣＣＨの開始シンボル位置の前であり且つ前記ＰＵＣＣＨの開始シンボル位置との差がＡ個のシンボルより大きくないＰＵＳＣＨより高いことであって、前記Ａは正の整数であること、
開始シンボル位置が前記ＰＵＣＣＨの開始シンボル位置より前ではないＰＵＳＣＨの優先度が、開始シンボル位置が前記ＰＵＣＣＨの開始シンボル位置の前であり且つ前記ＰＵＣＣＨの開始シンボル位置との差はＡ個のシンボルより大きくないＰＵＳＣＨより高いこと、
開始シンボル位置が前記ＰＵＣＣＨの開始シンボル位置より前ではないＰＵＳＣＨでは、開始シンボル位置が最も前であるＰＵＳＣＨの優先度が最も高いこと、
開始シンボル位置が前記ＰＵＣＣＨの開始シンボル位置の前であり且つ前記ＰＵＣＣＨの開始シンボル位置との差がＡ個のシンボルより大きくないＰＵＳＣＨでは、開始シンボル位置が最も後ろであるＰＵＳＣＨの優先度が最も高いこと、
許可ベースのＰＵＳＣＨの優先度が、許可なしのＰＵＳＣＨより高いこと、
タイムスロットベースのＰＵＳＣＨの優先度が、非タイムスロットベースのＰＵＳＣＨより高いことのうちの優先順位の１つまたは任意の組み合わせに従って、優先度の最も高いＰＵＳＣＨを選択ターゲットであるＰＵＳＣＨから選択する。
【００４４】
さらに、第１の選択ユニット３０１は前記優先順位の１つまたは任意の組み合わせに従って、選択ターゲットである少なくとも２つのＰＵＳＣＨから優先度の最も高いＰＵＳＣＨを選択する場合、プリセットの異なる形態の優先度に従って、優先度の高い方から低い方への順番に従って、様々な形態を採用して順次に選択し、ここで、後者の方式は、隣接する前者の方式で選択されたＰＵＳＣＨの中から選択する。
【００４５】
前記方式によって選択されたＰＵＳＣＨの数は１より大きいことができ、１より大きい場合、第１の選択ユニット３０１は、その中でキャリア番号の最も小さいＰＵＳＣＨをさらに選択し、選択されたキャリア番号の最も小さいＰＵＳＣＨを最終的に選択されたＰＵＳＣＨとして、それにより伝送ユニット３０２第１のＵＣＩを最終的に選択されたＰＵＳＣＨに多重化して伝送する。
【００４６】
図４は、本発明に係るデータ伝送装置の第２の実施例の構成の例示的な構造図である。如図４に示されたように、第２の選択ユニット４０１及び受信ユニット４０２を含む。
【００４７】
第２の選択ユニット４０１は、選択ターゲットである少なくとも２つのＰＵＳＣＨからプリセット条件を満たすＰＵＳＣＨを選択するように構成される。
【００４８】
受信ユニット４０２、選択されたＰＵＳＣＨに第１のアップリンク制御チャネル（ＵＣＩ）を多重化して伝送するように構成される。
【００４９】
選択ターゲットであるＰＵＳＣＨは、送信されるＰＵＣＣＨと時間的に重複されるＰＵＳＣＨを含む。
【００５０】
第２の選択ユニット４０１が、開始シンボル及び時間領域の長さの両方とも、送信されるＰＵＣＣＨと同じであるＰＵＳＣＨの優先度が、開始シンボル位置が前記ＰＵＣＣＨの開始シンボル位置より前ではないＰＵＳＣＨより高いこと、
開始シンボル及び時間領域の長さの両方とも、前記ＰＵＣＣＨと同じであるＰＵＳＣＨの優先度が、開始シンボル位置が前記ＰＵＣＣＨの開始シンボル位置の前であり且つ前記ＰＵＣＣＨの開始シンボル位置との差がＡ個のシンボルより大きくないＰＵＳＣＨより高いことであって、前記Ａは正の整数であること、
開始シンボル位置が前記ＰＵＣＣＨの開始シンボル位置より前ではないＰＵＳＣＨの優先度が、開始シンボル位置が前記ＰＵＣＣＨの開始シンボル位置の前であり且つ前記ＰＵＣＣＨの開始シンボル位置との差はＡ個のシンボルより大きくないＰＵＳＣＨより高いこと、
開始シンボル位置が前記ＰＵＣＣＨの開始シンボル位置より前ではないＰＵＳＣＨでは、開始シンボル位置が最も前であるＰＵＳＣＨの優先度が最も高いこと、
開始シンボル位置が前記ＰＵＣＣＨの開始シンボル位置の前であり且つ前記ＰＵＣＣＨの開始シンボル位置との差がＡ個のシンボルより大きくないＰＵＳＣＨでは、開始シンボル位置が最も後ろであるＰＵＳＣＨの優先度が最も高いこと、
許可ベースのＰＵＳＣＨの優先度が、許可なしのＰＵＳＣＨより高いこと、
タイムスロットベースのＰＵＳＣＨの優先度が、非タイムスロットベースのＰＵＳＣＨより高いことのうちの優先順位の１つまたは任意の組み合わせに従って、優先度の最も高いＰＵＳＣＨを選択ターゲットであるＰＵＳＣＨから選択する。
【００５１】
さらに、第２の選択ユニット４０１は前記優先順位の１つまたは任意の組み合わせに従って、選択ターゲットであるＰＵＳＣＨから優先度の最も高いＰＵＳＣＨを選択する場合、プリセットの異なる形態の優先度に従って、優先度の高い方から低い方への順番に従って、様々な形態を採用して順次に選択することができ、ここで、後者の方式は、隣接する前者の方式で選択されたＰＵＳＣＨの中から選択する。
【００５２】
前記方式によって選択されたＰＵＳＣＨの数は１より大きいことができ、１より大きい場合、第２の選択ユニット４０１は、その中でキャリア番号の最も小さいＰＵＳＣＨをさらに選択する。
【００５３】
図３及び図４に示されたように、装置の実施例の具体的なプロセスは前記方法の実施例における対応する説明を参照して、再び説明しない。
【００５４】
とにかく、本発明の技術案を採用して、ＰＵＳＣＨの合理的な選択を実装することができ、それによりＤＣＩ伝送機能等を改善する。
【００５５】
図５は、本発明の実施形態を実装するために適用される例示的なコンピュータシステム／サーバ１２のブロック図を示す。図５に示されたコンピュータシステム／サーバ１２はただ１つの例示であり、本発明の実施例の機能及び使用範囲に制限するものではない。
【００５６】
図５に示されたように、コンピュータシステム／サーバ１２は、汎用コンピューティング装置の形態で表現される。コンピュータシステム／サーバ１２のコンポーネントは、１つまたは複数のプロセッサ（処理ユニット）１６、メモリ２８、異なるシステムコンポーネント（メモリ２８及びプロセッサ１６を含む）を接続するバス１８を含むことができるが、これらに限定されない。
【００５７】
バス１８は、メモリバスまたはメモリコントローラ、周辺バス、グラフィック加速ポート、プロセッサまたは様々なバス構造内の任意のバス構造を使用するエリアバスを含むいくつかのタイプのバス構造の１つ以上を表す。例えば、これらのアーキテクチャには、産業標準アーキテクチャ（ＩＳＡ）バス、マイクロチャネルアーキテクチャ（ＭＡＣ）バス、強化されたＩＳＡバス、ビデオエレクトロニクス規格協会（ＶＥＳＡ）ローカルバス及び周辺機器相互接続（ＰＣＩ）バスが含まれるが、これらに限定されない。
【００５８】
コンピュータシステム／サーバ１２は、通常、様々なコンピュータシステム読み取り可能な媒体を含む。これらの媒体は、コンピュータシステム／サーバ１２からアクセスができる任意の利用可能な媒体であり、揮発性及び不揮発性媒体、リムーバブル及び非リムーバブル媒体を含む。
【００５９】
メモリ２８は、揮発性メモリ形態のコンピュータシステム読み取り可能な媒体を含み、例えば、ランダムアクセスメモリ（ＲＡＭ）３０及び／またはキャッシュメモリ３２である。コンピュータシステム／サーバ１２は、さらに他のリムーバブル／非リムーバブルコンピュータシステム記憶媒体をさらに含むことができる。例として、記憶システム３４は非リムーバブル、不揮発性磁気媒体（図５に示されてないが、通常、「ハードディスクドライブ」と称す）の読み書きに使用される。図５に示されてないけれど、リムーバブル不揮発性ディスク（例えば「フロッピーディスク」）の読み書きに使用されるディスクドライブを提供することができる。これらの場合は、各ドライブは１つまたは複数のデータ媒体インターフェイスによってバス１８と接続する。メモリ２８は少なくとも１つのプログラム製品を含み、前記プログラム製品は１グループ（例えば、少なくとも１つ）のプログラムモジュールが有り、これらのプログラムモジュールは本発明の各実施例の機能を実行するように構成される。
【００６０】
１グループ（少なくとも１つ）のプログラムモジュール４２が有するプログラム／ユーティリティツール４０は、例えば、メモリ２８に記憶することができ、このようなプログラムモジュール４２は、操作システム、１つまたは複数のアプリケーションプログラム、他のプログラムモジュール及びプログラムデータを含むが、これらに限定されない。これらの例示におけるそれぞれまたは特定の組み合わせには、ネットワーク環境の実装が含まれる場合がある。プログラムモジュール４２は、通常、本発明の説明された実施例における機能及び／または方法を実行する。
【００６１】
コンピュータシステム／サーバ１２は、１つまたは複数の外部装置１４（例えば、キーボード、ポインティング装置、ディスプレイ２４等）とも通信することができ、ユーザが前記コンピュータシステム／サーバ１２と対話できる１つまたは複数の装置と通信することができ、及び／または前記コンピュータシステム／サーバ１２が１つまたは複数の他のコンピューティング装置と通信することができる任意の装置（例えば、ネットワークカード、モデム等）と通信することができる。この通信は入力／出力（Ｉ／Ｏ）インターフェイス２２を介して実行することができる。さらに、コンピュータシステム／サーバ１２は、ネットワークアダプタ２０を通じて１つまたは複数のネットワーク（例えば、エリアネットワーク（ＬＡＮ）、広域ネットワーク（ＷＡＮ）及び／または公衆ネットワーク、例えば、インターネット）と通信することができる。図５に示されたように、ネットワークアダプタ２０は、バス１８を通じてコンピュータシステム／サーバ１２の他のモジュールと通信する。図には示されていないが、コンピュータシステム／サーバ１２を組み合わせて、マイクロコード、デバイスドライバー、リダンダンシー処理ユニット、外付けディスクドライブアレイ、ＲＡＩＤシステム、テープドライブ及びデータバックアップ記憶システムなどを含むが、これに限定されない他のハードウェア及び／またはソフトウェアモジュールを使用できることを理解されたい。
【００６２】
プロセッサ１６は、メモリ２８に記憶されたプログラムを実行することにより、様々な機能のアプリケーション及びデータ処理を実行し、例えば、図１に示された方法を実装する。
【００６３】
本発明は、同時にコンピュータ読み取り可能な記憶媒体を開示し、それにはコンピュータプログラムが記憶され、前記プログラムがプロセッサに実行される時、図１に示された方法などを実装する。
【００６４】
１つまたは複数のコンピュータ読み取り可能な媒体の任意の組み合わせを採用することができる。コンピュータ読み取り可能な媒体は、コンピュータ読み取り可能な信号媒体またはコンピュータ読み取り可能な記憶媒体であり得る。コンピュータ読み取り可能な記憶媒体は、例えば、電子、磁気、光学、電磁気、赤外線、または半導体システム、装置またはデバイス、または任意の組み合わせであり得るが、これらに限定されない。コンピュータ読み取り可能な記憶媒体のより具体的な例示（非網羅的なリスト）は、１つまたは複数のワイヤとの電気接続、ポータブルコンピュータディスク、ハードディスク、ランダムアクセスメモリ（ＲＡＭ）、読み取り専用メモリ（ＲＯＭ）、消去可能なプログラム可能な読み取り専用メモリ（ＥＰＲＯＭまたはフラッシュ）、光ファイバ、ポータブルコンパクトディスク読み取り専用メモリ（ＣＤ−ＲＯＭ）、光学記憶装置、磁気記憶装置、または前記の任意の適用な組み合わせを含む。本明細書において、コンピュータ読み取り可能な記憶媒体は、プログラムを含みまたは記憶する有形な媒体であり得、前記プログラムはシステム、装置またはデバイスを使用することまたはそれらを組み合わせて使用するように命令されることがあり得る。
【００６５】
コンピュータ読み取り可能な信号媒体は、ベースバンド内でまたはキャリアの一部として伝播されるデータ信号を含み、ここでコンピュータ読み取り可能なプログラムコードを搬送することができる。この伝播されるデータ信号は、電磁気信号、光学信号または前記の任意の適用な組み合わせを含むが限定されない多種な形態を採用することができる。コンピュータ読み取り可能な信号媒体は、さらに、コンピュータ読み取り可能な記憶媒体以外の任意のコンピュータ読み取り可能な媒体であり得、前記コンピュータ読み取り可能な媒体は、システム、装置またはデバイスを使用すること、またはそれらの組み合わせを使用することを実行するように命令するためのプログラムを送信、伝播または伝送することができる。
【００６６】
コンピュータ読み取り可能な媒体に含まれたプログラムコードは、無線、ワイヤ、光ケーブル、ＲＦ等、または前記の任意の適用な組み合わせを含むが、これに限定されない任意の適当な媒体を使用して伝送することができる。
【００６７】
本発明の操作を実行するためのコンピュータプログラムコードを一種または多種プログラミング言語またはそれらの組み合わせでプログラミングすることができ、前記プログラミング言語は、ターゲットに対するプログラミング言語を含み、例えば、Ｊａｖａ、Ｓｍａｌｌｔａｌｋ、Ｃ＋＋である。従来の手続き型プログラミング言語をさらに含み、例えば、「Ｃ」言語または類似のプログラミング言語である。プログラムコードは、完全的にユーザコンピュータで実行することができ、一部的にユーザコンピュータで実行することができ、1つの独立なソフトウェアパックとして実行することができ、一部はユーザコンピュータで実行し、一部は遠隔コンピュータで実行することができ、または完全に遠隔コンピュータまたはサーバで実行することができる。遠隔コンピュータに関する状況において、遠隔コンピュータは、エリアネットワーク（ＬＡＮ）または広域ネットワーク（ＷＡＮ）を含む様々なネットワークの任意の種類のネットワークを介して、ユーザコンピュータと接続し、または、外部のコンピュータと接続することができる（例えば、インターネットサービスプロバイダを利用してインターネットを接続する）。
【００６８】
本発明により提供されたいくつかの実施例において、示された装置及び方法等は、他の方法によって実装することができることを理解されたい。例えば、前記説明された装置の実施例はただ例示的であり、例えば、前記ユニットの割り当てはただ論理的機能の割り当てであり、実際の実装する時には他の割り当て形態があり得る。
【００６９】
前記別の部品として説明されたユニットは、物理的の割り切りであってもよくまたはでなくてもよく、ユニットとして示された部品は、物理ユニットであってもよくまたはでなくてもよく、即ち１つの場所に配置されることができ、または複数のネットワークユニットに配置されることもできる。実際の必要に従って、ここでの一部または全てのユニットを選択して本発明の技術案の目標を実装する。
【００７０】
さらに、本発明の各実施例における各機能ユニットは１つの処理ユニットに統合されることができ、各ユニットが物理的に単独で存在することもでき、２つまたは２つ以上のユニットが１つのユニットに統合されることもできる。前記前記統合されたユニットはハードウェアの形態を採用して実装することができ、ハードウェアプラスソフトウェア機能ユニットの形態を採用して実装することもできる。。
【００７１】
前記ソフトウェア機能ユニットの形態で実装された統合されるユニットは、１つのコンピュータ読み取り可能な取記憶媒体に記憶されることができる。前記ソフトウェア機能ユニットは１つの記憶媒体に記憶され、１つのコンピュータ装置（パーソナルコンピュータ、サーバ、またはネットワーク装置であり得る）またはプロセッサ（ｐｒｏｃｅｓｓｏｒ）が本発明の各実施例の前記方法の一部のステップを実行するように使用される複数の命令を含む。前記記憶媒体は、Ｕディスク、リムバルハードディスク、読み取り専用メモリ（ＲＯＭ）、ランダムアクセスメモリ（ＲＡＭ）、ディスクまたは光ディスク等様々なプログラムコードを記憶できる媒体を含む。
【００７２】
以上は、本発明のより良い実施例だけであり、本発明を制限する必要がなく、本発明の精神及び原則の範囲内で、なされた任意の修正、同等の置換、改善等の全ては、本発明の保護する範囲内に含まれる。
【図１】
2021516891.tif 000003
【図２】
2021516891.tif 000004
【図３】
2021516891.tif 000005
【図４】
2021516891.tif 000006
【図５】
2021516891.tif 000007
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
データ伝送方法であって、
端末が、少なくとも２つの物理アップリンク共有チャネル（ＰＵＳＣＨ）から第１のＰＵＳＣＨを決定することであって、前記第１のＰＵＳＣＨは、少なくとも２つのＰＵＳＣＨのうちの第１の開始シンボル位置を有するＰＵＳＣＨであることと、
前記端末が、第１のアップリンク制御情報（ＵＣＩ）を、前記第１のＰＵＳＣＨに多重化して伝送することとを含む、前記データ伝送方法。
【請求項２】
前記方法は、
前記端末が、前記少なくとも２つのＰＵＳＣＨのうちの第２のＰＵＳＣＨを決定することであって、前記第２のＰＵＳＣＨは、許可ベースのＰＵＳＣＨであることをさらに含む、
請求項１に記載の方法。
【請求項３】
前記端末が、少なくとも２つのＰＵＳＣＨのうちの第１のＰＵＳＣＨを決定することは、
前記第２のＰＵＳＣＨにしたがって前記第１のＰＵＳＣＨを決定することを含む、
請求項１または２に記載の方法。
【請求項４】
前記端末が、構成情報にしたがって物理アップリンク制御チャネル（ＰＵＣＣＨ）を使用して第２のＵＣＩを搬送することを決定することをさらに含み、
第１のＵＣＩは前記第２のＵＣＩと同じであり、または前記第２のＵＣＩを圧縮して前記第１のＵＣＩを取得する、
請求項１ないし３のいずれか一項に記載の方法。
【請求項５】
前記少なくとも２つのＰＵＳＣＨは、送信されるＰＵＣＣＨと時間的に重複されるＰＵＳＣＨを含む、
請求項１ないし４のいずれか一項に記載の方法。
【請求項６】
前記第１のＰＵＳＣＨの開始シンボル位置は、前記ＰＵＣＣＨの開始シンボル位置より前ではない、
請求項１ないし５のいずれか一項に記載の方法。
【請求項７】
データ伝送装置であって、
プロセッサ、および
プロセッサによって実行可能な命令を格納するメモリを備え、
前記プロセッサは、
少なくとも２つの物理アップリンク共有チャネル（ＰＵＳＣＨ）から第１のＰＵＳＣＨを決定し、前記第１のＰＵＳＣＨは、前記少なくとも２つのＰＵＳＣＨのうちの第１の開始シンボル位置を有するＰＵＳＣＨであり、
第１のアップリンク制御情報（ＵＣＩ）を、前記第１のＰＵＳＣＨに多重化して伝送するように構成される、前記データ伝送装置。
【請求項８】
前記プロセッサは、さらに、前記少なくとも２つのＰＵＳＣＨのうちの第２のＰＵＳＣＨを決定するように構成され、前記第２のＰＵＳＣＨは、許可ベースのＰＵＳＣＨである、
請求項７に記載の装置。
【請求項９】
前記プロセッサは、さらに、前記第２のＰＵＳＣＨにしたがって前記第１のＰＵＳＣＨを決定するように構成される、
請求項７または８に記載の装置。
【請求項１０】
前記プロセッサは、さらに、
構成情報にしたがって物理アップリンク制御チャネル（ＰＵＣＣＨ）を使用して第２のＵＣＩを搬送することを決定するように構成され、
前記第１のＵＣＩは前記第２のＵＣＩと同じであり、または前記第２のＵＣＩを圧縮して前記第１のＵＣＩを取得する、
請求項７ないし９のいずれか一項に記載の装置。
【請求項１１】
前記少なくとも２つのＰＵＳＣＨは、送信されるＰＵＣＣＨと時間的に重複されるＰＵＳＣＨを含む、
請求項７ないし１０のいずれか一項に記載の装置。
【請求項１２】
前記第１のＰＵＳＣＨの開始シンボル位置は、前記ＰＵＣＣＨの開始シンボル位置より前ではない、
請求項７ないし１１のいずれか一項に記載の装置。
【請求項１３】
コンピュータプログラムが記憶されるコンピュータ読み取り可能な記憶媒体であって、
前記プログラムがプロセッサに実行される時、請求項１ないし６のいずれか１項に記載の方法を実現する、前記コンピュータ読み取り可能な記憶媒体。
【国際調査報告】
2021516891.tif 000008
2021516891.tif 000009
2021516891.tif 000010
2021516891.tif 000011
2021516891.tif 000012
2021516891.tif 000013